(57)【特許請求の範囲】
【請求項１】
支持物に被錠止部材を錠止するための押しボタン錠装置であって、
前記支持物に固定される固定部材と、
前面とその反対の後面とを有し、後面側において前後方向の枢軸により前記固定部材に対して拘束位置と解放位置との間を相対回転自在に枢着され、拘束位置において前記被錠止部材を前記固定部材との間で拘束し、解放位置において当該被錠止部材を解放するケース部材と、
ロック位置と非ロック位置との間で前記枢軸と直交方向に外部から押動操作可能に前記ケース部材に設けられ、ロック位置において前記ケース部材と前記固定部材とを拘束位置に固定し、非ロック位置においてと両者間を解放する解錠操作部材と、
前記ケース部材の前面側に、前記解錠操作部材の押動方向の直線上に並んで配列され、前記解錠操作部材の押動方向と直交する前後方向に元位置から押し込み位置へ押動操作可能に設けられる複数の押しボタンと、
前端側を前記押しボタンの後端側に対向させて前記ケース部材内に設けられ、当該押しボタンの押動により、付勢された元位置から押し込み位置へ前後軸線方向に移動可能かつ軸周りにオフ位置とオン位置との間で所定角度回転自在の円柱形の複数のコードピンと、
前記解錠操作部材の押動により前記押しボタンの配列方向に第１位置から第２位置へ移動可能で第１位置に付勢されて前記ケース部材内に設けられ、前記コードピンの位置によって第２位置への移動を規制されるスライド部材と、
前記解錠操作部材の押動により前記スライド部材と共に第１位置から第２位置へ移動可能で第１位置に付勢されて前記ケース部材内に設けられ、第１位置において前記コードピンを押し込み位置に保持すると共に、第２位置において前記コードピンの保持を解除するコードピン保持部材とを具備し、
前記コードピンは、後端が前記ケース部材の後面側に露出して外部から軸周り回転位置をオン位置又はオフ位置に設定可能に設けられ、外周に、オフ位置で元位置にあるとき前記スライド部材の第２位置への移動を許容するための第１の凹部と、オン位置で押し込み位置にあるとき前記スライド部材の第２位置への移動を許容するための第２の凹部とを具備し、
オン位置に設定された所定の前記コードピンに対応する前記押しボタンを押し込むと前記スライド部材が移動可能となって、この状態で前記解錠操作部材を非ロック位置へ押動操作すると、前記ケース部材と前記固定部材との固定の解除が可能となるように構成されることを特徴とする押しボタン錠装置。
【発明の詳細な説明】
【技術分野】
【０００１】
本発明は、押しボタンを押して解錠することができる押しボタン錠装置に関するものである。
【背景技術】
【０００２】
従来、所定の番号の押しボタンを押し、その番号が予め設定された正しい番号である場合にのみ解錠することができる押しボタン式の錠装置が実用化されている。
また例えば、特許文献１には、上記のような押しボタン錠装置が記載されている。このボタン錠装置には、前面に設けられた押しボタンに対応してタンブラーが設けられる。タンブラーには、解錠用タンブラーと非解錠用タンブラーとがあり、解錠用のタンブラーに対応する押しボタンを押すと、スライド部材がタンブラーの移動方向に直交する方向に移動可能となる。スライド部材を移動させつつ操作部を解錠操作すると解錠する。
【先行技術文献】
【特許文献】
【０００３】
【特許文献１】特開平１１−３０３４７２号公報
【発明の概要】
【発明が解決しようとする課題】
【０００４】
上記従来の押しボタン錠装置は、例えば、オートバイのハンドルのような支持物に、ヘルメットのような被錠止部材を錠止するような使用ケースには容易に適用できない。
したがって、本発明は、不正解錠がされにくく、より小型で操作が容易であり、支持物に被錠止部材を錠止する様な態様の使用ケースに適した押しボタン錠装置を提供することを課題とする。
【課題を解決するための手段】
【０００５】
以下、添付図面の符号を参照して説明するが、本発明はこれに限定されるものではない。
上記課題を解決するための、本発明の押しボタン錠装置１は、支持物Ｂに固定される固定部材２と、固定部材２との間で被錠止部材Ａを拘束、解放するケース部材３とを具備する。ケース部材３は、後面側において枢軸４により固定部材２に対して拘束位置と解放位置との間を相対回転自在に枢着される。ケース部材３に解錠操作部材５が設けられる。解錠操作部材５は、ロック位置と非ロック位置との間で枢軸４と直交方向に外部から押動操作可能であり、ロック位置においてケース部材３と固定部材２とを拘束位置に固定し、非ロック位置においてと両者間を解放する。ケース部材３の前面側に、解錠操作部材５の押動方向の直線上に並んで複数の押しボタ６が配列される。押しボタン６は、前後方向に元位置から押し込み位置へ押動操作可能である。ケース部材３内に、先端側を押しボタン６の後端側に対向させ円柱形の複数のコードピン７が設けられる。コードピン７は、オフ位置とオン位置との間で所定角度軸周りに回転自在であり、また元位置と押し込み位置との間で軸線方向前後に移動可能であって、押しボタン６の押動により元位置から押し込み位置へ移動する。ケース部材３内に、解錠操作部材５の押動により押しボタン６の配列方向に第１位置から第２位置へ移動可能にスライド部材１０が設けられる。スライド部材１０は、第１位置に付勢され、コードピンの位置によって第２位置への移動を規制される。ケース部材３内に、解錠操作部材５の押動によりスライド部材５と共に第１位置から第２位置へ移動可能にコードピン保持部材１２が設けられる。コードピン保持部材１２は、第１位置に付勢され、第１位置においてコードピン７を押し込み位置に保持すると共に、第２位置においてコードピン７の保持を解除する。また、コードピン７は、後端がケース部材３の後面側に露出して外部から軸周り回転位置をオン位置又はオフ位置に設定可能であり、外周に、オフ位置で元位置にあるときスライド部材１０の第２位置への移動を許容するための第１の凹部７ｃと、オン位置で押し込み位置にあるときスライド部材１０の第２位置への移動を許容するための第２の凹部７ｄとを具備する。オン位置に設定された所定のコードピン７１に対応する押しボタン６１を押すとスライド部材１０が移動可能となって、この状態で解錠操作部材５を非ロック位置へ押動操作すると、ケース部材３と固定部材２との固定の解除が可能となる。
【発明の効果】
【０００６】
本発明の押しボタン錠装置は、不正解錠がされにくく、小型で操作が容易であり、支持物に被錠止部材を錠止する使用ケースに適する。
【図面の簡単な説明】
【０００７】
【図１】本発明に係る押しボタン錠装置の斜視図であり、Ａは錠止状態、Ｂは解錠状態を示す。
【図２】図１の押しボタン錠装置の分解斜視図である。
【図３】図１の押しボタン錠装置の縦断面図である。
【図４】図１の押しボタン錠装置の横断面図である。
【図５】図１の押しボタン錠装置におけるスライド部材の組み込み状態を示す説明図である。
【図６】図１の押しボタン錠装置における保持部材の組み込み状態を示す説明図である。
【図７】図１の押しボタン錠装置におけるコードピンを示す図であり、（Ａ）は正面図、（Ｂ）は背面図、（Ｃ）は側面図、（Ｄ）は平面図である。
【図８】図１の押しボタン錠装置における押しボタンを示す図であり、（Ａ）は平面図、（Ｂ）は正面図、（Ｃ）は側面図、（Ｄ）は背面図である。
【図９Ａ】図１の押しボタン錠装置におけるコードピンとスライド部材との関係を示す説明図であり、全押しボタンが元位置にある状態を示す。
【図９Ｂ】図１の押しボタン錠装置におけるコードピンとスライド部材との関係を示す説明図であり、設定押しボタンが押し込み位置にある状態を示す。
【図１０】図１の押しボタン錠装置における押しボタンと保持部材との関係を示す説明図であり、（Ａ）は設定押しボタンが元位置にある状態、（Ｂ）は設定押しボタンが押し込み位置にある状態、（Ｃ）は保持部材が押し下げられた第２位置にあり設定押しボタンがばね力で元位置に復帰した状態を示す。
【発明を実施するための形態】
【０００８】
図面を参照して本発明の実施の形態を説明する。
図1において、押しボタン錠装置１は、互いに枢着された固定部材２とケース部材３とを具備する。固定部材２は、例えばオートバイのハンドルのような支持物Ａに固定される。固定部材２とケース部材３との間には、例えばヘルメットのベルトのような被錠止部材Ｂが錠止される。
【０００９】
図２，３に示すように、ケース部材３は、前面側の前カバー３１とその反対の後面側の後カバー３２とを有し、後面側において枢軸４により固定部材２に枢着される。ケース部材３は、固定部材２に対して拘束位置（図１Ａ）と解放位置（図１Ｂ）との間を相対回転自在であり、互いに重合した拘束位置において固定部材２との間で被錠止部材Ｂを拘束し、互いに開いた解放位置においてこれを解放する。
【００１０】
固定部材２は、本体２１とバンド金具２２とを具備する。本体２１は、下部の前面側に、ケース部材３の後面側との間に被錠止部材Ｂを受け入れるための凹部２１ａを具備し、上部の枢支部２１ｂにおいてケース部材３に枢支される。図３に示すように、枢支部２１ｂの前面側には、後記解錠操作部材５との係合部２１ｃ，２１ｄが、互いに回転方向に１８０°離れた位置に設けられる。バンド金具２２は、内側に支持物Ａを受け入れた状態で、外部から離脱操作できないように本体２１に固着される。
【００１１】
解錠操作部材５がケース部材３内の上端部に設けられる。解錠操作部材５は、ケース部材３の上端から突出する操作凸部５ａと、後方へ突出するロック片５ｂとを具備し、上位のロック位置と下位の非ロック位置との間で、枢軸４と直交方向である上下に、外部から押動操作可能である。
【００１２】
解錠操作部材５は、図３に示すように、上位のロック位置において、ロック片５ｂが固定部材２の係合部２１ｃに係合することによって、固定部材２を相対的に拘束位置に固定し、又は係合部２１ｄに係合することによって拘束位置と１８０°離れた解放位置に固定し、下位の非ロック位置においてロック片５ｂが係合部２１ｃから離脱する。
【００１３】
ケース部材３の前面側に、解錠操作部材５の押動方向である上下方向に直線上に並んで４つの押しボタン６（６１〜６４）が配列される。図４、図８に示すように、押しボタン６は、後方へ延びる左右平行一対の脚部６ａと、ケース部材３の前面側に開口３１ａを介して突出する押圧部６ｂとを具備する。押圧部６ｂの前面には、上方の押しボタン６１から順次１〜４の番号が付される（図１）。押しボタン６は、解錠操作部材５の押動方向と直交する前後方向に、元位置から押し込み位置へ押動操作可能である。
【００１４】
図８によく示すように、押しボタン６の脚部６ａの外側面の上部には、後記保持部材１２の係合爪１２ｄが係合する係合凸部６ｃが形成される。押しボタン６の両脚部６ａ間の後面側には、後記コードピン７の回動限界を規定するストッパ突起６ｄと、コードピン７を９０°毎の回動限界において保持する保持凹部６ｅが設けられる。
【００１５】
各押しボタン６に対応して、ケース部材３内にコードピン７（７１〜７４）が設けられる。コードピン７は、段付きの円柱形で、ケース部材３内に、軸線を前後方向に向け、先端側を押しボタン６の後端側に対向させ、元位置と押し込み位置との間で軸線方向に移動可能設けられ、ばね８により元位置に付勢される。また、コードピン７は、オフ位置とオン位置との間で軸周りに９０°回転自在である。
【００１６】
図７によく示すように、コードピン７は、前方の大径部７ａと後方の小径部７ｂとを具備する。大径部７ａは、押しボタン６の脚部６ｂ間に配置され（図４）、外周に第１及び第２の２つの受け入れ凹部７ｃ，７ｄ、前面側に回転規制凹部７ｅと２つの保持突起７ｆを具備する。凹部７ｃ，７ｄは、互いに前後に所定距離を置き、周方向に９０°離れた位置に形成される。周縁に９０°の範囲で円弧状に形成された規制凹部７ｅは、押しボタン６のストッパ突起６ｄと係合する（図８）。保持突起７ｆは、コードピン７のオフ位置とオン位置において押しボタン６の保持凹部６ｅに嵌合する。
【００１７】
小径部７ｂは、後端面に回転操作用の係合溝７ｇを有し、図４によく示すように、後端が後カバー３２の開口３２ａから後方へ露出している。したがって、コードピン７は、ケース部材３の後面側から変換キー９（図１）を用いて、任意にオフ位置又はオン位置に設定できる。図において、１番の押しボタン６１に対応する１番のコードピン７１だけオン位置に設定され、他は全てオフ位置に設定されている。図９Ａに示すように、オフ位置に設定されたコードピン７２〜７４は、元位置において第１の凹部７ｃが上方に開口し、オン位置に設定されたコードピン７１は、元位置において第２の凹部７ｄが上方に開口する。図９Ｂに示すように、オン位置に設定されたコードピン７１が押し込まれたとき、上向きの第２の凹部７ｄが他のコードピン７２〜７４の第１の凹部７ｃと上下方向に整列し、解錠が可能となる。
【００１８】
ケース部材３内に薄板枠状のスライド部材１０が設けられる。図５によく示すように、スライド部材１０は、解錠操作部材５の押動により、押しボタン６の配列方向に、上位の第１位置から下位の第２位置へ移動自在で、ばね１１により第１位置に付勢される。スライド部材１０は、左右の縦枠１０ａと、上下方向に所定の相互間隔を置いて縦枠１０ａの間に渡される４つの横桟１０ｂと、最上位の横桟１０ｂから上方に延出した押圧片１０ｃと、各横桟１０ｂの中央から下方へ突出した凸部１０ｄとを具備する。押圧片１０ｃの上端は解錠操作部材５の下端に当接する。４つの横桟１０ｂの下をコードピン７が貫通する。凸部１０ｄは、コードピン７の外周に対面し、いずれかの凹部７ｃ，７ｄが上下、前後方向に整列したとき、スライド部材１０の下降、すなわち解錠操作部材５の非ロック位置への押動が可能となる。
【００１９】
ケース部材３内にコードピン保持部材１２が設けられる。図６によく示すように、コードピン保持部材１２は、解錠操作部材５の押動により、スライド部材１０と共に第１位置から第２位置へ移動可能で、ばね１３により上位の第１位置へ付勢される。コードピン保持部材１２は、左右の縦枠１２ａと、これらの間に渡された４つの横桟１２ｂと、最上部の横桟１２ｂから上方へ延出した押圧部１２ｃを有し、各横桟１２ｂの下に押しボタン６とコードピン７を貫通させる基本形状においてスライド部材１０とほぼ相似形である。縦枠１２ａにおける上下の横桟１２ａ間の中間部に係止爪１２ｄが形成される。また一方の縦枠１２ａの外側からリセット操作片１２ｅが延出し、これがケース部材３の側面に露出している。リセット操作片１２ｅは、ケース部材３の外部から設定キー９で押し下げることができる。
【００２０】
図１０によく示すように、押しボタン６が元位置にあるとき、係止爪１２ｄは、押しボタン６に係合していない（図１０Ａ）。押しボタン６が、にコードピン７と共に押し込み位置へ押し込まれたとき、係止爪１２ｄは、押しボタン６の係合凸部６ｃに係合し、押しボタン６とコードピン７を押し込み位置に保持する（図１０Ｂ）。コードピン保持部材１２が、下位の第２位置へ押し下げられると、係止爪１２ｄが係合凸部６ｃから外れ、コードピン７がばね８で元位置へ復帰する（図１０Ｃ）。
【００２１】
押しボタン錠装置１の使用方法を説明する。押しボタン錠装置１は、固定部材２とケース部材３とが重なっていない、図１（Ｂ）に示す解放位置にあるものとする。この状態では、解錠操作部材５が押し下げられ、それのロック片５ｂが固定部材２の係合部２１ｃから外れており、これと共にスライド部材１０、コードピン保持部材１２も押し下げられて、第２位置にある。この状態で、予め任意のコードピン７をオン位置に設定する。図には１番の押しボタン６１に対応するコードピン７１がオン位置に設定された状態を示す。４つのコードピン７によるオン設定の組み合わせは、１５通りである。
【００２２】
コードピン７１のオン設定は、ケース部材３の後面側の開口３２ａから設定キー９を挿し込み、コードピン７１の係合溝７ｇが縦向きになるように回転させて行う。図９Ａによく示すように、オン設定されたコードピン７１は、それの前方の第２の凹部７ｄが上に向く。オフ位置にある他のコードピン７２〜７４は、それの後方の第１の凹部７ｃが上向きに配置されている。全てのコードピン７は元位置にある。スライド部材１０の凸部１０ｄのうち下の３つはコードピン７２，７３，７４の第１の凹部７ｃの直上にあるが、最上部の凸部１０ｄは、いずれの凹部７ｃ，７ｄにも対面しておらず、大径部７ａの外周に対面している。
【００２３】
この状態で、図１（Ａ）に示すように、固定部材２の凹部２１ａに被錠止部材Ｂを受け入れて、固定部材２とケース部材３とが重なる拘束位置まで相対回転させると、解錠操作部材５のロック片５ｂが固定部材２の係合部２１ｃに合致すると同時に、ばね１１，１３によりスライド部材１０、ロックピン保持部材１２が解錠操作部材５と共にロック位置へ押し上げられ、ロック片５ｂが固定部材２の係合部２１ｃに落ち込む。これで固定部材２とケース部材３とが固定され、解錠操作部材５を非ロック位置へ押し下げなければ、固定部材２とケース部材３とを解放することができない。この状態では、スライド部材１０の最上部の凸部１０ｄがコードピン７１の外周に当接するから、解錠操作部材５押し下げることができない。これで被錠止部材Ｂを支持物Ａに錠止することができる。
【００２４】
固定部材２とケース部材３を錠止状態から解放するには、使用者のみが知るオン設定されたコードピン７１（設定コードピン）に対応する押しボタン６１（設定ボタン）を押し込む必要がある。設定ボタン６１を押し込むと、それの係合凸部６ｃが保持部第１２の係合爪１２ｄに係合して保持される（図１０Ｂ）。これと共に、設定コードピン７１が押し込まれ、押し込み位置に保持される（図９Ｂ）。この状態で、設定コードピン７１の第２の凹部７ｄがスライド部材１０の最上部の凸部１０ｄに対面して、他のコードピン７２〜７４の第１の凹部１０ｃと上下、前後に整列する（図９Ｂ）ので、解錠操作部材５の押し下げが可能となる。
【００２５】
解錠するには、解錠操作部材５を押し下げて、ロック片５ｂを固定部材２の係合部２１ｃから外した状態で、固定部材２とケース部材３を開けばよい。解錠操作部材５の押し下げと同時に保持部材１２が下がって、それの係合爪１２ｄが押しボタン６１の係合凸部６ｃから外れるので、押しボタン６１は元位置へ復帰する（図１０Ｃ）。
【００２６】
使用者が、設定コードピン７１以外のコードピン７２〜７４に対応する押しボタン６２〜６４を誤って押し込んでしまうと、設定コードピン７１を押し込んでも、凹部７ｃ，７ｄが整列しないので、解錠操作部材５を押し下げることができない。したがって、解錠が不能となる。
【００２７】
この場合、使用者は、変換キー９を用いてケース部材３の外部からリセット操作片１２ｅを押し下げることにより、保持部材１２を押し下げると、係止爪１２ｄが全ての押しボタン６の係合凸部６ｃから外れ、押し込まれたコードピン６が元位置に復帰する。その後、設定コードピン７１に対応する押しボタン６１を押し込めば、解錠することができる。
【符号の説明】
【００２８】
１      押しボタン錠装置
２      固定部材
２１    固定部材本体
２１ａ  受け凹部
２１ｂ  枢支部
２１ｃ  係合部
２２    バンド金具
３      ケース部材
３１    前カバー
３２    後カバー
４      枢軸
５      解錠操作部材
５ａ    操作凸部
５ｂ    ロック片
６      押しボタン
６１    設定押しボタン
６ａ    脚部
６ｂ    押圧部
６ｃ    係合爪
６ｄ    ストッパ突起
６ｅ    保持凹部
７      コードピン
７１    設定コードピン
７ａ    大径部
７ｂ    小径部
７ｃ    受け入れ凹部
７ｄ    受け入れ凹部
７ｅ    規制凹部
７ｆ    保持突起
７ｇ    係合溝
８      ばね
９      切換キー
１０    スライド部材
１０ａ  縦枠
１０ｂ  横桟
１０ｃ  押圧片
１０ｄ  凸部
１１    ばね
１２    保持部材
１２ａ  縦枠
１２ｂ  横桟
１２ｃ  押圧部
１２ｄ  係止爪
１２ｅ  リセット操作片
１３    ばね
【要約】
【課題】不正解錠されにくく、より小型で操作が容易であり、支持物に被錠止部材を錠止できる押しボタン錠装置を提供する。
【解決手段】錠装置１は、固定部材２とケース部材３で被錠止部材Ａを拘束して支持物Ｂに錠止する。ケース部材３に複数の押しボタン６と対応コードピン７が設けられる。コードピン７は、異なる軸線方向位置、回転角度位置に２つの凹部７ｃ，７ｄを有する。回転角度位置を変更して解錠用のコードピン７１を設定する。設定コードピン７１の凹部７ｃは他のコードピン７の凹部７ｄと整列しない。設定コードピン７１に対応する設定押しボタン６１を押すと、凹部７ｃ，７ｄが整列し、凸部１０ｄがこれらに落ち込んでスライド部材１０が移動可能となる。スライド部材１０を移動させつつ解錠操作部材５を操作して解錠する。
【選択図】図２【図１】
0006837120.tif 000002
【図２】
0006837120.tif 000003
【図３】
0006837120.tif 000004
【図４】
0006837120.tif 000005
【図５】
0006837120.tif 000006
【図６】
0006837120.tif 000007
【図７】
0006837120.tif 000008
【図８】
0006837120.tif 000009
【図９Ａ】
0006837120.tif 000010
【図９Ｂ】
0006837120.tif 000011
【図１０】
0006837120.tif 000012